(57)【要約】【課題】パワーオンから録画開始まで掛かる時間を短縮すること。【解決手段】映像音声源と、動画像符号化部と、キャッシュメモリ部と、ディスク記録部と、制御部から構成される光ディスク記録装置であって、制御部が、パワーオン後に、映像音声源と動画像符号化部とキャッシュメモリ部とディスク記録部をパワーオンし且つ初期化を開始し、映像音声源と動画像符号化部とキャッシュメモリ部が初期化を完了した後に、録画開始信号を受け取った時、動画像符号化部から出力された符号化データのキャッシュメモリ部への記憶を開始し、ディスク記録部が初期化を完了した時に、ディスク記録部にキャッシュメモリ部からディスクへの録画を開始するように制御する。【選択図】　　図１
2004147200.tif 000002
【特許請求の範囲】
【請求項１】
映像音声源と、動画像符号化部と、キャッシュメモリ部と、ディスク記録部と、制御部から構成される光ディスク記録装置であって、
制御部が、パワーオン後に、映像音声源と動画像符号化部とキャッシュメモリ部とディスク記録部をパワーオンし且つ初期化を開始し、映像音声源と動画像符号化部とキャッシュメモリ部が初期化を完了した後に、録画開始信号を受け取った時、動画像符号化部から出力された符号化データのキャッシュメモリ部への記憶を開始し、ディスク記録部が初期化を完了した時に、ディスク記録部にキャッシュメモリ部からディスクへの録画を開始するように制御する、
ことを特徴とする光ディスク記録装置。
【請求項２】
請求項１に記載された光ディスク記録装置において、
制御部が、録画開始信号を受け取った時、動画像符号化部を低ビットレート制御に指定すると共に、動画像符号化部から出力された符号化データのキャッシュメモリ部への記憶を開始し、ディスク記録部が初期化を完了した時に、動画像符号化部を通常ビットレート制御に指定し元に戻すと共に、ディスク記録部にキャッシュメモリ部からディスクへの録画を開始するように制御する、
ことを特徴とする光ディスク記録装置。
【請求項３】
請求項２に記載された光ディスク記録装置において、
動画像符号化部のビットレート制御として、量子化或いは解像度の変更を採用することを特徴とする光ディスク記録装置。
【請求項４】
請求項１乃至請求項３の何れか１つに記載された光ディスク記録装置において、
キャッシュメモリ部として、半導体メモリ或いはハードディスクを用いたことを特徴とする光ディスク記録装置。
【請求項５】
コンピュータプログラムを記憶した記憶媒体であって、
コンピュータプログラムが、パワーオン後に、映像音声源と動画像符号化部とキャッシュメモリ部とディスク記録部をパワーオンし且つ初期化を開始するステップと、映像音声源と動画像符号化部とキャッシュメモリ部が初期化を完了した後に、録画開始信号を受け取った時、動画像符号化部から出力された符号化データのキャッシュメモリ部への記憶を開始するステップと、ディスク記録部が初期化を完了した時に、ディスク記録部にキャッシュメモリ部からディスクへの録画を開始するステップと、からなる録画開始プログラムであることを特徴とするコンピュータプログラムを記憶した記憶媒体。
【請求項６】
請求項５に記載されたコンピュータプログラムを記憶した記憶媒体において、コンピュータプログラムが、録画開始信号を受け取った時、動画像符号化部を低ビットレート制御に指定すると共に、動画像符号化部から出力された符号化データのキャッシュメモリ部への記憶を開始するステップと、ディスク記録部が初期化を完了した時に、動画像符号化部を通常ビットレート制御に指定し元に戻すと共に、ディスク記録部にキャッシュメモリ部からディスクへの録画を開始するステップを有する録画開始プログラムであることを特徴とするコンピュータプログラムを記憶した記憶媒体。
【発明の詳細な説明】
【０００１】
【発明の属する技術分野】
本発明は、例えばＤＶＤ等のリムーバブルディスク記録媒体（本明細書ではＤＶＤで代表する）に記録する光ディスク記録装置に関し、特に動画・音声を含むＡＶデータ信号を記録する光ディスク記録装置に関する。
【０００２】
【従来の技術】
記録技術の向上により、リムーバブルディスク記録媒体は、その記録容量が格段に大きくなり、又ビット当たりの記録単価も低下し、種々の用途に使用されている。例えば動画・音声を含むＡＶデータ信号を記録再生可能なＤＶＤは、映画や音楽ビデオやゲームソフト等の利用が見込まれている。このＤＶＤに記録する光ディスク記録装置（ＤＶＤレコーダ）は、従来の家庭用録画機器であるビデオテープデッキと比べて、巻き戻しや早送りを必要とせず、記録対象の削除等も可能で便利である。このような、動画・音声を含むＡＶデータ信号を記録する光ディスク記録装置として、図５に示すものが従来から知られている。
【０００３】
この光ディスク記録装置は、メインマイコン１と、サブマイコン２と、映像音声源３と、動画像符号化部４と、バッファメモリ部５と、ディスク記録部６から構成されている。そして、メインマイコン１とサブマイコン２が制御部として機能する。
【０００４】
メインマイコン１は、サブマイコン２からのパワーオン信号でパワーオンすると共に、他の構成要素である、映像音声源３、動画像符号化部４、バッファメモリ部５、ディスク記録部６、ＤＶＤ７等をパワーオンし、動作をスタートする。又、サブマイコン２からの録画開始指令信号その他の各種操作指令信号を受けて、他の構成要素を制御する。サブマイコン２は、常時動作していて、操作装置からのパワーオン信号その他の各種操作指令信号を受けてメインマイコン１に伝えると共に、内蔵するタイマによりパワーオン信号や録画開始指令信号をメインマイコン１に出力する。映像音声源３は、動画・音声を含むＡＶデータ信号を発生するものであり、チューナや、ネットワークシステムを介した外部の映像音声装置からのＡＶデータ信号を受信するインターフェースが想定される。動画像符号化部４は、映像音声源３から出力されたＡＶデータ信号をデジタル化し圧縮処理して符号化データとする。バッファメモリ部５は、動画像符号化部４から出力される符号化データのデータ量の、目標とするビットレート、画像のタイプ、画像の難易度による変動と、ディスク記録部６のＤＶＤ７への書き込み速度の、ヘッドの移動、不良記録部分の検知、スキップ等による変動とを吸収するために設けられたものであり、動画像符号化部４から出力される符号化データを一時的に記憶し、ディスク記録部６の書き込み速度に合わせてディスク記録部６に出力する。バッファメモリ部５の容量は、変動の大きさの最大値に設定され、数秒乃至数十秒分のＡＶデータ信号が記憶できる容量である。ディスク記録部６は、符号化データをＤＶＤ７に記録する。
【０００５】
従来例の光ディスク記録装置の動作を、図６に示すフローチャートを用いて説明する。
【０００６】
サブマイコン２は、ステップＳ６１において、操作装置或いは内蔵するタイマからパワーオン信号が発生するのを待ち、パワーオン信号が発生したと判断すると、メインマイコン１をパワーオンする（ステップＳ６２）。メインマイコン１は、パワーオンすると制御信号を出力し、ＡＶデータ信号を記録するための構成部である、映像音声源３、動画像符号化部４、バッファメモリ部５、ディスク記録部６等をパワーオンすると共に初期化するスタートアップ（以下「ＳＵ」という）動作を行わせ（ステップＳ６３）、続いて前記各構成部のＳＵ動作が完了したか否かを判断し（ステップＳ６４）、完了したと判断したら録画開始指令信号の発生を待つ（ステップＳ６５）。録画開始指令信号を受け取ると、メインマイコン１は、ディスク記録部６にＤＶＤ７への録画を開始させて（ステップＳ６６）、録画開始処理の動作を終了する。
【０００７】
【発明が解決しようとする課題】
ところで、従来例の光ディスク記録装置（ＤＶＤレコーダ）は、ビデオテープデッキと比べて、パワーオンから録画開始までに長い時間が掛かるという欠点がある。これは、図７に示す、従来例の光ディスク記録装置の各構成部の動作のタイムチャートから明らかなように、ディスク記録部６のＳＵ動作に長い時間が掛かるからである。即ち、ディスク記録部６は、ＤＶＤをロードしてから、回転を開始し、メディアの種類を検知し、ＤＶＤのデータ管理情報を読み出すのに長い時間がかかり、ビデオテープデッキが数秒であるのに対して、ＤＶＤレコーダは３０秒〜１分程度掛かる。
【０００８】
本発明は、以上述べた従来技術の問題点に鑑みてなされたものであり、パワーオンから録画開始まで掛かる時間を短縮することを目的とする。
【０００９】
【課題を解決するための手段】
上記目的を達成するために、
請求項１の記載に係る発明は、
映像音声源と、動画像符号化部と、キャッシュメモリ部と、ディスク記録部と、制御部から構成される光ディスク記録装置であって、
制御部が、パワーオン後に、映像音声源と動画像符号化部とキャッシュメモリ部とディスク記録部をパワーオンし且つ初期化を開始し、映像音声源と動画像符号化部とキャッシュメモリ部が初期化を完了した後に、録画開始信号を受け取った時、動画像符号化部から出力された符号化データのキャッシュメモリ部への記憶を開始し、ディスク記録部が初期化を完了した時に、ディスク記録部にキャッシュメモリ部からディスクへの録画を開始するように制御する、
ことを特徴とする。
【００１０】
請求項２の記載に係る発明は、
請求項１に記載された光ディスク記録装置において、
制御部が、録画開始信号を受け取った時、動画像符号化部を低ビットレート制御に指定すると共に、動画像符号化部から出力された符号化データのキャッシュメモリ部への記憶を開始し、ディスク記録部が初期化を完了した時に、動画像符号化部を通常ビットレート制御に指定し元に戻すと共に、ディスク記録部にキャッシュメモリ部からディスクへの録画を開始するように制御する、
ことを特徴とする。
【００１１】
請求項３の記載に係る発明は、
請求項２に記載された光ディスク記録装置において、
動画像符号化部のビットレート制御として、量子化或いは解像度の変更を採用することを特徴とする。
【００１２】
請求項４の記載に係る発明は、
請求項１乃至請求項３の何れか１つに記載された光ディスク記録装置において、
キャッシュメモリ部として、半導体メモリ或いはハードディスクを用いたことを特徴とする。
【００１３】
請求項５の記載に係る発明は、
コンピュータプログラムを記憶した記憶媒体であって、
コンピュータプログラムが、パワーオン後に、映像音声源と動画像符号化部とキャッシュメモリ部とディスク記録部をパワーオンし且つ初期化を開始するステップと、映像音声源と動画像符号化部とキャッシュメモリ部が初期化を完了した後に、録画開始信号を受け取った時、動画像符号化部から出力された符号化データのキャッシュメモリ部への記憶を開始するステップと、ディスク記録部が初期化を完了した時に、ディスク記録部にキャッシュメモリ部からディスクへの録画を開始するステップと、からなる録画開始プログラムであることを特徴とする。
【００１４】
請求項６の記載に係る発明は、
請求項５に記載されたコンピュータプログラムを記憶した記憶媒体において、
コンピュータプログラムが、録画開始信号を受け取った時、動画像符号化部を低ビットレート制御に指定すると共に、動画像符号化部から出力された符号化データのキャッシュメモリ部への記憶を開始するステップと、ディスク記録部が初期化を完了した時に、動画像符号化部を通常ビットレート制御に指定し元に戻すと共に、ディスク記録部にキャッシュメモリ部からディスクへの録画を開始するステップを有する録画開始プログラムであることを特徴とする。
【００１５】
【発明の実施の形態】
以下、本発明の光ディスク記録装置の実施例について図１〜図４を用いて説明する。図１は本発明の光ディスク記録装置の構成を、図２及び図３は光ディスク記録装置の第１、第２実施例の動作のフローチャートを、図４は光ディスク記録装置の第２実施例の動作のタイムチャートを、それぞれ示す図である。
【００１６】
本発明の光ディスク記録装置は、従来例の光ディスク記録装置において、メインマイコン１に代えて図２或いは図３に示す処理フローの制御を行うメインマイコン８と、バッファメモリ部５に代えてキャッシュメモリ部９を設けてなるものである。
【００１７】
図１において、本発明の光ディスク記録装置は、メインマイコン８と、サブマイコン２と、映像音声源３と、動画像符号化部４と、キャッシュメモリ部９と、ディスク記録部６から構成されている。そして、メインマイコン８とサブマイコン２が制御部として機能する。キャッシュメモリ部９は、ディスク記録部６がスタートアップ動作するのに必要な時間、動画像符号化部４から出力された符号化データを一時的に記憶することが可能な記憶容量を有するメモリである。キャッシュメモリ部９としては、半導体メモリが採用されるが、近年ＡＶデータ信号をに記録する装置として知られた、ＤＶＤにハードディスクを付設したディスク記録装置では、ハードディスクを採用することも可能である。
【００１８】
光ディスク記録装置の第１実施例の動作を、図２に示すフローチャートを用いて説明する。
【００１９】
サブマイコン２は、ステップＳ２１において、操作装置或いは内蔵するタイマからパワーオン信号が発生するのを待ち、パワーオン信号が発生したと判断すると、メインマイコン８をパワーオンする（ステップＳ２２）。メインマイコン８は、パワーオンすると制御信号を出力し、ＡＶデータ信号を記録するための構成部である、映像音声源３、動画像符号化部４、キャッシュメモリ部９、ディスク記録部６等をパワーオンすると共に初期化するＳＵ動作を開始させ（ステップＳ２３）、続いてディスク記録部６を除く前記各構成部のＳＵ動作が完了したか否かを判断し（ステップＳ２４）、完了したと判断したら録画開始指令信号の発生を待つ（ステップＳ２５）。録画開始指令信号を受け取った時、メインマイコン８は、動画像符号化部４から出力された符号化データのキャッシュメモリ部９への記憶を開始する（ステップＳ２６）。次に、ステップＳ２７において、ディスク記録部６のＳＵ動作が完了したか否かを判断し、ディスク記録部６のＳＵ動作が完了した時に、ディスク記録部６にキャッシュメモリ部９からＤＶＤ７への録画を開始させて（ステップＳ２８）、録画開始処理の動作を終了する。
【００２０】
次に、光ディスク記録装置の第２実施例の動作を、図３に示すフローチャートを用いて説明する。
【００２１】
第２実施例の光ディスク記録装置は、第１実施例のキャッシュメモリ部９の記憶容量を出来るだけ小さくするものである。そのため、メインマイコン８は、ディスク記録部６がスタートアップの動作中であることを検知している間、動画像符号化部４を低ビットレート制御に指定し、動画像符号化部４から出力する符号化データのビット数を小さくするよう制御してなる。
【００２２】
サブマイコン２は、ステップＳ３１において、操作装置或いは内蔵するタイマからパワーオン信号が発生するのを待ち、パワーオン信号が発生したと判断すると、メインマイコン８をパワーオンする（ステップＳ３２）。メインマイコン８は、パワーオンすると制御信号を出力し、ＡＶデータ信号を記録するための構成部である、映像音声源３、動画像符号化部４、キャッシュメモリ部９、ディスク記録部６等をパワーオンすると共に初期化するＳＵ動作を開始させ（ステップＳ３３）、続いてディスク記録部６を除く前記各構成部のＳＵ動作が完了したか否かを判断し（ステップＳ３４）、完了したと判断したら録画開始指令信号の発生を待つ（ステップＳ３５）。録画開始指令信号を受け取った時、メインマイコン８は、動画像符号化部４を低ビットレート制御に指定すると共に、キャッシュメモリ部９への符号化データの記憶を開始する（ステップＳ３６）。次に、ステップＳ３７において、ディスク記録部６のＳＵ動作が完了したか否かを判断し、ディスク記録部６のＳＵ動作が完了した時に、動画像符号化部４を通常ビットレート制御に指定し元に戻すと共に、ディスク記録部６にキャッシュメモリ部９からＤＶＤ７への録画を開始させて（ステップＳ２８）、録画開始処理の動作を終了する。
【００２３】
図４は、光ディスク記録装置の第２実施例の動作のタイムチャートを示している。なお、第１実施例の動作のタイムチャートは、図４における動画像符号化部４のビットレート制御を無くしただけで、他は変わりない。図４と図７を比べて明らかなように、ディスク記録部６を除く前記各構成部のＳＵ動作が完了すると直ぐに、キャッシュメモリ部９に動画像符号化部４から出力された符号化データを記憶するようにしたので、録画開始指令信号の受け取りタイミングを早く出来、パワーオンから録画開始まで掛かる時間を短縮することが可能になった。即ち、従来３０秒〜１分程度掛かっていたが、本発明では５秒程度に短縮することが出来た。
【００２４】
また、ディスク記録部６のスタートアップ動作中、動画像符号化部４のビットレートを低くするよう制御しているので、キャッシュメモリ部９の記憶容量を小さくすることが可能になった。なお、動画像符号化部４のビットレート制御として普通量子化が採用されているが、解像度を落とすよう制御することも可能である。
【００２５】
【発明の効果】
以上述べたように、本発明の光ディスク記録装置及び録画開始プログラムを記憶した記憶媒体は、パワーオンから録画開始まで掛かる時間を短縮することが出来るという効果がある。
【図面の簡単な説明】
【図１】本発明のディスク記録再生装置の構成を示す図である。
【図２】本発明のディスク記録再生装置の第１実施例の動作のフローチャートを示す図である。
【図３】本発明のディスク記録再生装置の第２実施例の動作のフローチャートを示す図である。
【図４】本発明のディスク記録再生装置の第２実施例の動作のタイムチャートを示す図である。
【図５】光ディスク記録装置の従来例を示す図である。
【図６】従来例の光ディスク記録装置の動作のフローチャートを示す図である。
【図７】従来例の光ディスク記録装置の動作のタイムチャートを示す図である。
【符号の説明】
１　メインマイコン
２　サブマイコン
３　映像音声源
４　動画像符号化部
５　バッファメモリ部
６　ディスク記録部
７　ＤＶＤ
８　メインマイコン
９　キャッシュメモリ部
【図１】
2004147200.tif 000003
【図２】
2004147200.tif 000004
【図３】
2004147200.tif 000005
【図４】
2004147200.tif 000006
【図５】
2004147200.tif 000007
【図６】
2004147200.tif 000008
【図７】
2004147200.tif 000009